(57)【要約】【課題】昔ながらの外観を備えるとともに装飾物としても活用可能な包装用容器を提供する。【解決手段】容器胴部１２上部に円形口部１３を有し前記円形口部１３の外周縁部１４下部に該外周縁部１４及び前記容器胴部１２より小径となる首部１５が形成された容器本体１１と前記容器本体１１の円形口部１３に着脱自在に被着された弾性合成樹脂製のキャップ２０とからなる包装用容器１０であって、前記キャップ２０は、正方形シートを前記円形口部１３に包被して前記首部１５で緊締した形態を模した円形口部包被部２１および首部絞り部２２及び４つの角部２４を有するひだ状裾部２３とから構成されていることを特徴とする。【選択図】図２
0003177738.tif 000002
【実用新案登録請求の範囲】
【請求項１】
容器胴部上部に円形口部を有し前記円形口部の外周縁部下部に該外周縁部及び前記容器胴部より小径となる首部が形成された容器本体と前記容器本体の円形口部に着脱自在に被着された弾性合成樹脂製のキャップとからなる包装用容器であって、
前記キャップは、正方形シートを前記円形口部に包被して前記首部で緊締した形態を模した円形口部包被部および首部絞り部及び４つの角部を有するひだ状裾部とから構成されていることを特徴とする包装用容器。
【請求項２】
前記キャップがシリコン樹脂の成形体からなる請求項１に記載の包装用容器。
【考案の詳細な説明】
【技術分野】
【０００１】
本考案は、牛乳やヨーグルト等が封入されるガラス瓶等の包装用容器に関する。
【背景技術】
【０００２】
例えば、図５に示すように、古くから使用されている牛乳やヨーグルト等の飲食物が封入される包装用容器１００は、ガラス瓶（牛乳瓶）等の容器本体１０１上部の円形口部１０３の外周縁部１０４下部に首部１０５が形成されており、円盤状の紙蓋１１０によって円形口部１０３を封止するとともに、略正方形のビニルシート１２０を円形口部１０３に覆い被せて包着シート１２１とし、首部１０４に相当する位置でビニル紐１２２を用いて包着シート１２１が緊締されていた。
【０００３】
近年では、円形口部に合成樹脂製の蓋部材を嵌着させるとともに、蓋部材にシュリンクフィルムを被着させた包装用容器が主流となっているが、外観が淡泊で装飾性が乏しかった。
【考案の概要】
【考案が解決しようとする課題】
【０００４】
本考案は前記の点に鑑みなされたものであり、昔ながらの外観を備えるとともに装飾物としても活用可能な包装用容器を提供するものである。
【課題を解決するための手段】
【０００５】
すなわち、請求項１の考案は、容器胴部上部に円形口部を有し前記円形口部の外周縁部下部に該外周縁部及び前記容器胴部より小径となる首部が形成された容器本体と前記容器本体の円形口部に着脱自在に被着された弾性合成樹脂製のキャップとからなる包装用容器であって、前記キャップは、正方形シートを前記円形口部に包被して前記首部で緊締した形態を模した円形口部包被部および首部絞り部及び４つの角部を有するひだ状裾部とから構成されていることを特徴とする包装用容器に係る。
【０００６】
請求項２の考案は、前記キャップがシリコン樹脂の成形体からなる請求項１に記載の包装用容器に係る。
【考案の効果】
【０００７】
請求項１の考案に係る包装用容器は、容器胴部上部に円形口部を有し前記円形口部の外周縁部下部に該外周縁部及び前記容器胴部より小径となる首部が形成された容器本体と前記容器本体の円形口部に着脱自在に被着された弾性合成樹脂製のキャップとからなる包装用容器であって、前記キャップは、正方形シートを前記円形口部に包被して前記首部で緊締した形態を模した円形口部包被部および首部絞り部及び４つの角部を有するひだ状裾部とから構成されているため、昔ながらの外観を付与して装飾性や興趣を高めることができるとともに、装飾物としても活用することができる。
【０００８】
請求項２の考案は、請求項１において、前記キャップがシリコン樹脂の成形体からなるため、安価で成形性に優れ、よりリアルな外観を再現することができる。
【図面の簡単な説明】
【０００９】
【図１】本考案の一実施例に係る包装用容器の斜視図である。
【図２】図１の包装用容器の分解斜視図である。
【図３】円形口部近傍の断面図である。
【図４】キャップの上面図である。
【図５】従来の包装用容器の円形口部近傍の斜視図である。
【考案を実施するための形態】
【００１０】
図１，２に示す本考案の一実施例に係る包装用容器１０は、内容物として牛乳等の飲料水やヨーグルト等のペースト状の食物が封入されるものであって、容器本体１１と、キャップ２０とからなる。
【００１１】
容器本体１１は、図２に示すように、容器胴部１２上部に円形口部１３を有し、円形口部１３の外周縁部１４下部に該外周縁部１４及び容器胴部１２より小径となる首部１５が形成される。容器本体１１は、ガラスや熱可塑性樹脂等の材料からなり、９０ｍｌや１１０ｍｌ等の適宜のサイズで構成される。
【００１２】
キャップ２０は、図１〜図４に示すように、容器本体１１の円形口部１３に着脱自在に被着された弾性合成樹脂製の蓋体である。このキャップ２０は、図５に示した従来の容器１００の包着シート１２１風の形状として当該容器１０に昔ながらの外観を付与するためのものであって、円形口部包被部２１と、首部絞り部２２と、ひだ状裾部２３とから構成されている。
【００１３】
円形口部包被部２１は、略正方形シートを円形口部１３に包被して首部１５で緊締した形態を模しており、円形口部１３を封止するとともに、その外周縁部１４に密着される。首部絞り部２２は、円形口部包被部２１より小径に形成された部位であって、容器本体１１の首部１５に対応する位置で円形口部１３に包被させたシートを絞った形態を模している。ひだ状裾部２３は、円形口部１３に包被させたシートのひだ状の端部の形態を模しており、略正方形シートの各頂点に相当する４つの角部２４を有する。
【００１４】
キャップ２０の素材としては、円形口部１３への着脱時に弾性変形可能なエラストマー等の弾性合成樹脂が用いられている。実施例では、安価で成形性に優れるシリコン樹脂の成形体からなり、公知のプレス成形等によって形成される。キャップ２０をシリコン樹脂の成形体で構成すれば、よりリアルな外観を再現することができる。
【００１５】
以上図示し説明したように、本考案の包装用容器１０では、容器本体１１の円形口部１３に着脱自在に被着された弾性合成樹脂製のキャップ２０が、正方形シートを円形口部１３に包被して首部１５で緊締した形態を模した円形口部包被部２１および首部絞り部２２及び４つの角部２４を有するひだ状裾部２３とから構成されているため、円形口部１３に従来の容器１００の包着シート１２１を覆い被せたような、昔ながらの牛乳瓶風の外観を付与して装飾性や興趣を高めることができる。
【００１６】
また、弾性合成樹脂製のキャップ２０を備えることにより、消費後等であっても当該キャップを破棄せず、洗浄等して円形口部１３に再度被着させれば、装飾物としても活用することが可能となる。
【００１７】
なお、本考案の包装用容器は、前述の実施例のみに限定されるものではなく、考案の趣旨を逸脱しない範囲において構成の一部を適宜に変更して実施することができる。
【符号の説明】
【００１８】
１０    包装用容器
１１    容器本体
１２    容器胴部
１３    円形口部
１４    外周縁部
１５    首部
２０    キャップ
２１    円形口部包被部
２２    首部絞り部
２３    ひだ状裾部
２４    角部
【図１】
0003177738.tif 000003
【図２】
0003177738.tif 000004
【図３】
0003177738.tif 000005
【図４】
0003177738.tif 000006
【図５】
0003177738.tif 000007